(57)【特許請求の範囲】
【請求項１】
フラット配線材を有する配線体と、互いに嵌合され、前記配線体の中間を巻回軸回りに少なくとも１ターン巻回して収納され、前記配線体が引き出される引出し部を有する第１及び第２の構体とを備え、
前記第１の構体は、巻回された前記配線体の互いの縁部を前記巻回軸方向に上下に区分する仕切り板と、前記巻回軸に対して半径方向外方の高さが高くなるように形成された第２のガイドリブとを有し、
前記第２の構体は、前記巻回軸に対して半径方向外方の高さが低くなるように形成された第１のガイドリブを有し、
前記配線体は、前記第１のガイドリブ、前記第２のガイドリブ及び前記仕切り板により、巻回軸方向にずれながらガイドされることを特徴とする継電装置。
【請求項２】
前記巻回軸が、前記第１の構体の中心に対して偏心させて配置されている、請求項１の継電装置。
【請求項３】
前記第１の構体の板面上には、前記引出し部の近傍に、引き出される前記配線体に対して前記仕切り板に平行に配置される突条が形成されている、請求項１または２の継電装置。
【請求項４】
前記引出し部は、前記配線体を所望角度捻って引き出せるように形成されている、請求項１乃至３いずれかの継電装置。
【請求項５】
前記第１及び第２の構体は、中間が巻回された前記配線体の両側に前記引出し部が形成されている、請求項１乃至４いずれかの継電装置。
【請求項６】
前記配線体は、前記第１及び第２の構体から延出した端部にコネクタが取り付けられている、請求項１乃至５の継電装置。
【発明の詳細な説明】
【０００１】
【発明の属する技術分野】
本発明は、継電装置に関する。
【０００２】
【従来の技術】
継電装置、例えば、自動車のラゲージドアで使用されるハーネススプールは、巻回したワイヤハーネスの中間を収納し、端部を外部へ延出している。そして、ハーネススプールは、車体側に設置し、外部へ延出したワイヤハーネスの一端を車体側、他端をラゲージドア側に接続し、ドア開閉の際に車体側とラゲージドア側との電気的接続を確保している。
【０００３】
【発明が解決しようとする課題】
ところで、前記ハーネススプールは、ワイヤハーネスとして断面円形の電線を使用し、ねじりばねによって引き出されたワイヤハーネスを巻き戻すことから、スプールや２つのスプールボックス等を有している。
このため、前記ハーネススプールは、構成部品点数が多く、特にねじりばねを使用していることから組み立てが難しいうえ、サイズが大きいという問題があった。
【０００４】
本発明は上記の点に鑑みてなされたもので、構成部品点数が少なく、組み立てが容易で、小型な継電装置を提供することを目的とする。
【０００５】
【課題を解決するための手段】
本発明においては上記目的を達成するため、フラット配線材を有する配線体と、互いに嵌合され、前記配線体の中間を巻回軸回りに少なくとも１ターン巻回して収納され、前記配線体が引き出される引出し部を有する第１及び第２の構体とを備え、前記第１の構体は、巻回された前記配線体の互いの縁部を前記巻回軸方向に上下に区分する仕切り板と、前記巻回軸に対して半径方向外方の高さが高くなるように形成された第２のガイドリブとを有し、前記第２の構体は、前記巻回軸に対して半径方向外方の高さが低くなるように形成された第１のガイドリブを有し、前記配線体は、前記第１のガイドリブ、前記第２のガイドリブ及び前記仕切り板により、巻回軸方向にガイドされる構成としたのである。
【０００６】
好ましくは、前記巻回軸が、前記第１の構体の中心に対して偏心させて配置する。更に好ましくは、前記第１の構体の板面上には、前記引出し部の近傍に、引き出される前記配線体に対して前記仕切り板に平行に配置される突条が形成されている。
【０００７】
好ましくは、前記引出し部は、前記配線体を所望角度捻って引き出せるように形成されている。また好ましくは、前記第１及び第２の構体は、中間が巻回された前記配線体の両側に前記引出し部を形成する。更に好ましくは、前記配線体は、前記第１及び第２の構体から延出した端部にコネクタを取り付ける。
【０００８】
【発明の実施の形態】
以下、本発明の継電装置に係る一実施形態を図１乃至図７に基づいて詳細に説明する。
第１の実施形態に係る継電装置１は、図１に示すように、配線体２、カバー３及びハウジング４を備えている。ここで、図１及び図５においては、継電装置１の構成を明瞭に示すことを目的にカバー３を透明体として図示している。
【０００９】
配線体２は、平行に配列された複数の扁平な電気導体を絶縁体で被覆した可撓性を有するテープ状のフラット配線材２ａを複数積層して束ねたものである。配線体２は、少なくとも１ターン巻回することで、復元力が付与されている。但し、配線体２は、電気導体を有しない扁平な絶縁体が複数のフラット配線材２ａ中にダミーとして配置されていてもよい。また、フラット配線材２ａは、複数の扁平な電気導体の他に光ファイバを含んでいても良い。
【００１０】
カバー３及びハウジング４は、図１乃至図３に示すように、本体３ａ，４ａが互いに嵌合され、配線体２が中間を巻回軸３ｂ，４ｂ回りに少なくとも１ターン巻回して収納され、配線体２が引き出される引出し部３ｃ，４ｃを有している。巻回軸３ｂ，４ｂは、巻回軸３ｂが巻回軸４ｂの外側に嵌合し、カバー３の中心に対し、引出し部３ｃ，４ｃ側に偏心させて配置されている。引出し部３ｃは、図２に示すように、本体３ａから板面に直交する上方へ向けて湾曲するように形成されている。
【００１１】
カバー３は、図１に示すように、配線体２の一端が板状の本体３ａに係止される。また、カバー３は、図２に示すように、仕切り板３ｄとガイドリブ３ｅを有している。仕切り板３ｄは、巻回された配線体２を巻回軸３ｂ，４ｂ方向（図１において上下方向）に区分するもので、先端を９０度折り曲げてハウジング４の本体４ａに当接する当接片３ｆが形成されている。ガイドリブ３ｅは、図２に示すように、巻回軸３ｂ，４ｂに対して半径方向外方の高さが高くなるように形成されている。カバー３は、引出し部３ｃの近傍に、引き出される配線体２に対して幅方向に配置される突条３ｇが形成されている。また、カバー３は、本体３ａ外周の適宜箇所に係止片３ｈが、引出し部３ｃと対向する位置に接続部３ｊが、それぞれ設けられている。
【００１２】
ハウジング４は、図１及び図３に示すように、本体４ａに周壁４ｄが形成され、本体４ａ外縁には適宜箇所に取付けブラケット４ｅが形成されている。ハウジング４は、図３に示すように、巻回軸４ｂから半径方向外方へ周壁４ｄまで延び、半径方向外方の高さが低くなるガイドリブ４ｆが形成されている。また、ハウジング４は、巻回軸４ｂと引出し部４ｃ側の周壁４ｄとの間に係止壁４ｇが設けられている。そして、周壁４ｄは、カバー３の係止片３ｈと対応する位置に係止突起４ｈが設けられている。
【００１３】
以上のように構成される継電装置１は、先ず、一端をカバー３の接続部３ｊに固定して中間を１ターン巻回し、仕切り板３ｄで上下に区分した配線体２の他端を引出し部３ｃから引き出す。
次に、このようにして配線体２を配置したカバー３を、図４に矢印で示すようにハウジング４に被せる。これにより、巻回軸３ｂが巻回軸４ｂの外側に嵌合されると共に、当接片３ｆが周壁４ｄと係止壁４ｇとの間に配置され、対応する係止片３ｈと係止突起４ｈとが係止され、継電装置１が容易に組み立てられる。
【００１４】
このとき、継電装置１は、巻回軸３ｂ，４ｂの回りに１ターン巻回した配線体２がカバー３とハウジング４によって形成される空間内に収容されている。このため、継電装置１は、引出し部３ｃ，４ｃから延出した配線体２の端部が引っ張られると、巻回部分が縮小する。しかし、巻回軸３ｂ，４ｂが、巻回部分の縮小を最小半径に規制するため、配線体２が座屈することはない。
【００１５】
また、端部が引き出された配線体２は、引張力が解放されると、それ自身が有する復元力によってハウジング４内に引き戻され、元の状態に復帰する。このため、継電装置１は、従来の継電装置のように、ワイヤハーネスを巻き戻すねじりばねが必要ないので、構成部品点数が少なく、小型なことから配置上の自由度が増すうえ、軽量化できるという効果を奏する。
【００１６】
更に、継電装置１は、カバー３の引出し部３ｃの近傍に、突条３ｇが形成されている。このため、継電装置１は、配線体２の引き出しや引き戻しに際し、図１に示すように、配線体２の縁部が仕切り板３ｄと引出し部３ｃ，４ｃとの間で突条３ｇに接触するだけなので、摩擦抵抗が小さく抑えられる。
一方、継電装置１は、巻回軸３ｂ，４ｂが、カバー３の中心に対し、引出し部３ｃ，４ｃ側に偏心させて配置されている。このため、引き出された配線体２は、復元力によって元の状態に復帰するときに、引出し部３ｃ，４ｃから最も離れた位置からハウジング４の周壁４ｄに当接してゆく。これに対し、巻回軸３ｂ，４ｂが、カバー３の中心に配置されていると、配線体２は、中間部分で周壁４ｄに接して摩擦力を生じ、円滑な復帰動作が妨げられ、座屈してしまうことがある。従って、継電装置１は、巻回軸３ｂ，４ｂを偏心配置したことにより、引き出された配線体２の復帰動作が非常に円滑に行われる。
【００１７】
また、継電装置１は、ハウジング４にガイドリブ４ｆが形成されている。このため、継電装置１においては、配線体２の引き出し或いは引き戻しに際し、配線体２の縁部がガイドリブ４ｆに案内され、配線体２の引き出し或いは引き戻しの動作が非常に円滑に行われる。しかも、配線体２は、仕切り板３ｄによって上下に区分され、縁部が互いに接することがないので、縁部が擦れ合って磨耗することもない。
【００１８】
更に、継電装置１は、カバー３に巻回軸３ｂ，４ｂに対して半径方向外方の高さが高くなるガイドリブ３ｅが形成されている。このため、継電装置１は、配線体２の引き出しや引き戻しの際に、配線体２が巻回軸３ｂ，４ｂ方向に振動することに起因する、いわゆる踊り音の発生を防止することができる。ここで、継電装置１は、使用態様によって、図５に示すように、ハウジング４から延出する配線体２を所望角度、例えば、９０度捻って引き出してもよい。この場合、継電装置１は、カバー３の引出し部３ｃが、図２に示すように、本体３ａから板面に直交する上方へ向けて湾曲するように形成され、引出し部３ｃの近傍に突条３ｇが設けられている。このため、配線体２を捻っても、摩擦が増大する等の不具合は何ら発生しない。
【００１９】
次に、第２の実施形態に係る継電装置を図６乃至図８基づいて説明する。
ここで、継電装置１０は、配線体２の両側がカバー３及びハウジング４から延出していることを除き、継電装置１と構成が同一である。このため、以下の説明並びに図６乃至図８においては、継電装置１と同一の構成部分には同一の符号を用いることで、重複した説明を省略する。
【００２０】
継電装置１０は、図６に示すように、中間が巻回された配線体２の両側に、即ち、カバー３及びハウジング４に、引出し部３ｃ，４ｃと、引出し部３ｃ，４ｃと対向する位置に引出し部３ｋ，４ｋとが形成され、配線体２の各端部が外部へ延出されている。そして、配線体２は、各端部にコネクタ１１が取り付けられている。コネクタ１１としては、フラット配線材２ａの電気導体と接続された端子を保持できるものであれば特に限定はない。
【００２１】
従って、継電装置１０は、ハウジング４の取付けブラケット４ｅにより本体４ａを適宜箇所に固定することで、配線体２を引出し部３ｃ，４ｃ側或いは引出し部３ｋ，４ｋ側から引き出し、コネクタ１１を相手方のコネクタに接続したり、コネクタ１１と相手方のコネクタとの接続を解除して引き戻すことができる。このため、継電装置１０は、図７（ａ）〜（ｄ）に示すようにハウジング４を鉛直方向に配置したり、図８（ａ），（ｂ）に示すようにハウジング４を水平方向に配置し、配線体２の引出し部３ｃ，４ｃ側や引出し部３ｋ，４ｋ側への引き出し量を変化させたり、引き出された配線体２を周囲の形状に沿わせたりする等、種々の態様の下に使用することができる。
【００２２】
この結果、継電装置１０は、継電装置１に比べると使用形態上のバリエーションが各段に増加する。また、継電装置１０は、自動車で使用する際、配置上の制約がなくどこにでも取り付けることができるため、継電装置１に比べて配置上高い自由度を有している。
尚、上記実施形態の継電装置１，１０においては、配線体２は１ターン巻回した場合について説明した。しかし、配線体２は少なくとも１ターン巻回されていればよく、２ターン以上巻回してもよい。
【００２３】
また、上記各実施形態では、フラット配線材２ａを複数積層して束ねた配線体２を使用した。しかし、配線体は、１本のフラット配線材であっても、少なくとも１ターン巻回すれば、本発明の継電装置に用いたときに、十分に復元力を発揮する。従って、配線体は、１本のフラット配線材でもよい。
【００２４】
【発明の効果】
請求項１の発明によれば、構成部品点数が少なく、組み立てが容易で、小型な継電装置を提供することができる。しかも、請求項１の継電装置は、小型なことから配置上の自由度が増すうえ、軽量化できるという効果も奏することができる。また、第２の構体は、第１のガイドリブを設けたので、配線体の引き出し或いは引き戻しの動作が非常に円滑に行われる。
【００２５】
請求項２の発明によれば、引き出された配線体の復帰動作が非常に円滑に行われる。
請求項３の発明によれば、配線体の引き出しや引き戻しの際に、いわゆる踊り音の発生を防止することができる。
請求項４の発明によれば、配線体と第１の構体との間の摩擦を低減することができる。
【００２６】
請求項５の発明によれば、継電装置を種々の使用態様の下で使用することができ、使用上の自由度が増す。
請求項６，７の発明によれば、継電装置の使用形態上並びに配置上のバリエーションが各段に増加する。
【図面の簡単な説明】
【図１】本発明の継電装置の第１の実施形態を示す斜視図である。
【図２】図１の継電装置で用いるカバーの斜視図である。
【図３】図１の継電装置で用いるハウジングの斜視図である。
【図４】配線体を配置したカバーと、ハウジングを組み合わせて継電装置を組み立てる様子を示す斜視図である。
【図５】図１の継電装置から配線体を捻って引き出す様子を示す斜視図である。
【図６】本発明の継電装置の第２の実施形態を示す斜視図である。
【図７】図６の継電装置のハウジングを鉛直方向に配置した際の各種使用形態を示す斜視図である。
【図８】図６の継電装置のハウジングを水平方向に配置した際の各種使用形態を示す斜視図である。
【符号の説明】
１              継電装置
２              配線体
２ａ            フラット配線材
３              カバー（第１の構体）
３ａ            本体
３ｂ            巻回軸
３ｃ            引出し部
３ｄ            仕切り板
３ｅ            ガイドリブ（第２のガイドリブ）
３ｆ            当接片
３ｇ            突条
３ｈ            係止片
３ｊ            接続部
４              ハウジング（第２の構体）
４ａ            本体
４ｂ            巻回軸
４ｃ            引出し部
４ｄ            周壁
４ｅ            ブラケット
４ｆ            ガイドリブ（第１のガイドリブ）
４ｇ            係止壁
４ｈ            係止突起
１０            継電装置
１１            コネクタ
【図１】
0003813520.tif 000002
【図２】
0003813520.tif 000003
【図３】
0003813520.tif 000004
【図４】
0003813520.tif 000005
【図５】
0003813520.tif 000006
【図６】
0003813520.tif 000007
【図７】
0003813520.tif 000008
【図８】
0003813520.tif 000009